(57)【要約】【課題】本体の薄形化を図ることのできる換気装置を提供することを目的とする。【解決手段】内部に排気用ファン２を有し、側面に室内側排気口４を設け、前面中央部を湾曲基点６より膨出して湾曲部７を形成し、湾曲部７の内面側に排気流路８を設け、壁部９に取り付けられる本体３を設け、室内側排気口４の中心位置（ａ）が湾曲基点６を結ぶ線１０より壁部９側に位置する構成とすることにより、本体３の薄形化を図ることのできる換気装置が得られる。【選択図】図１
2006038421.tif 000002
【特許請求の範囲】
【請求項１】
内部にモータにより駆動される排気用ファンを有し、前記排気用ファンと連通して側面に設けられる室内側排気口と、この室内側排気口と前記排気用ファンを介して連通して、背面に設けられる室外側排気口とを設け壁部に取り付けられる本体と、この本体の前面の略中央部を膨出して形成した湾曲部と、この湾曲部の内面側に形成されて、前記室内側排気口より前記排気用ファンの吸込口に至る排気流路とを備え、前記室内側排気口の中心位置が、前記湾曲部を形成する湾曲形状の基点となる湾曲基点を結ぶ線より前記壁部側に位置する構成とした換気装置。
【請求項２】
排気用ファンの中心線を、本体の前面に形成された湾曲部における膨出量が最大の部位より一方側にずらし、他方側に室内側排気口を設けた請求項１に記載の換気装置。
【請求項３】
室内側排気口を本体の下面に設けた請求項１に記載の換気装置。
【請求項４】
排気用ファンの中心位置を、本体の前面に形成された湾曲部における膨出量が最大の部位より上方にずらした請求項１に記載の換気装置。
【請求項５】
室内側排気口の内側に、壁部側よりも排気ファンの吸込口側を前記本体の側面から遠ざけるように形成したガイド部を設けた請求項１〜４のいずれかに記載の換気装置。
【請求項６】
排気用ファンを有した排気用換気手段と、給気用ファンを有した給気用換気手段とを一体的に設け、前記給気用換気手段と連通して設けた室外側給気口を前記室外側排気口と並設して同時給排形とした請求項１〜５のいずれかに記載の換気装置。
【請求項７】
排気用ファンおよび給気用ファンの吸い込み中心の壁部に平行な方向の高さを、壁部に設けられる２層管ダクトの排気路および給気路に連結する室外側排気口および室外側給気口の中心の高さと同一高さとした請求項６に記載の換気装置。
【発明の詳細な説明】
【技術分野】
【０００１】
本発明は、本体の側面に室内側排気口を設け、内部に設けた排気用ファンにより排気流路を介して排気する換気装置に関する。
【背景技術】
【０００２】
従来、この種の換気装置の一例として壁取付用換気扇が知られている（例えば特許文献１参照）。
【０００３】
以下、その壁取付用換気扇について、図６を参照しながら説明する。
【０００４】
図に示すように、モータ１０１の回転軸１０２を室内壁面１０３とほぼ垂直となるように取り付けた本体１０４と、モータ１０１の回転軸１０２に固着され、モータ１０１側と反対側より吸い込む排気用遠心力ファン１０５とモータ１０１側より吸い込む吸気用遠心力ファン１０６が一体化されたファン１０７を設け、吸気通路１０８と排気通路１０９に連通していた。
【特許文献１】特開昭５８−７８０３１号公報（第２頁、第３頁、第１図）
【発明の開示】
【発明が解決しようとする課題】
【０００５】
このような従来の壁取付用換気扇では、モータ１０１を室内側に設けた場合には、本体の厚さが大きい換気扇となってしまい、逆に本体の厚さを薄く形成すると、排気流路が小さくなってしまい排気効率が悪くなるという課題があった。
【０００６】
本発明は、上記課題を解決するもので、本体の薄形化を図ることができ、また、排気効率を高めることのできる換気装置を提供することを目的としている。
【課題を解決するための手段】
【０００７】
本発明の換気装置は上記目的を達成するために、内部にモータにより駆動される排気用ファンを有し、前記排気用ファンと連通して側面に設けられる室内側排気口と、この室内側排気口と前記排気用ファンを介して連通して背面に設けられる室外側排気口とを設け壁部に取り付けられる本体と、この本体の前面の略中央部を膨出して形成した湾曲部と、この湾曲部の内面側に形成されて前記室内側排気口より前記排気用ファンの吸込口に至る排気流路とを備え、前記室内側排気口の中心位置が、前記湾曲部を形成する湾曲形状の基点となる湾曲基点を結ぶ線より前記壁部側に位置する構成としたものである。
【０００８】
この手段により、本体の薄形化を図ることのできる換気装置が得られる。
【０００９】
また、他の手段は、排気用ファンの中心線を本体の前面に形成された湾曲部における膨出量が最大の部位より一方側にずらし、他方側に室内側排気口を設けたものである。
【００１０】
この手段により、本体の薄形化を図ることができる。
【００１１】
また、他の手段は、室内側排気口を本体の下面に設けたものである。
【００１２】
この手段により、ショートサーキット対策を行うことができる。
【００１３】
また、他の手段は、排気用ファンの中心位置を、本体の前面に形成された湾曲部における膨出量が最大の部位より上方にずらしたものである。
【００１４】
この手段により、排気流路を大きく形成することができる換気装置が得られる。
【００１５】
また、他の手段は、室内側排気口の内側に壁部側よりも排気ファンの吸込口側を前記本体の側面から遠ざけるように形成したガイド部を設けたものである。
【００１６】
この手段により、排気流の流れをスムーズにすることができる。
【００１７】
また、他の手段は、排気用ファンを有した排気用換気手段と、給気用ファンを有した給気用換気手段とを一体的に設け、前記給気用換気手段と連通して設けた室外側給気口を前記室外側排気口と並設して同時給排形としたものである。
【００１８】
この手段により、同時給排形の換気装置が構成される。
【００１９】
また、他の手段は、排気用ファンおよび給気用ファンの吸い込み中心の壁部に平行な方向の高さを、壁部に設けられる２層管ダクトの排気路および給気路に連結する室外側排気口および室外側給気口の中心の高さと同一高さとしたものである。
【００２０】
この手段により、吸い込みの効率の良い換気装置が得られる。
【発明の効果】
【００２１】
本発明によれば、本体の薄形化を図ることのできる換気装置を提供できる。
【００２２】
また、ショートサーキットの対策ができる。
【００２３】
また、排気流路を大きくできるとともに、排気流の流れをスムーズにできる。
【００２４】
また、吸い込み効率の良い同時給排形の換気装置を提供できる。
【発明を実施するための最良の形態】
【００２５】
本発明の請求項１に記載の発明は、内部にモータにより駆動される排気用ファンを有し、前記排気用ファンと連通して側面に設けられる室内側排気口と、この室内側排気口と前記排気用ファンを介して連通して背面に設けられる室外側排気口とを設け、壁部に取り付けられる本体と、この本体の前面の略中央部を膨出して形成した湾曲部と、この湾曲部の内面側に形成されて、前記室内側排気口より前記排気用ファンの吸込口に至る排気流路とを備え、前記室内側排気口の中心位置が、前記湾曲部を形成する湾曲形状の基点となる湾曲基点を結ぶ線より前記壁部側に位置する構成としたものであり、本体の前面を形成する湾曲部の湾曲基点を結ぶ線より壁部側に位置する場所に中心位置が設けられる室内側排気口を形成していることにより、室内側排気口の中心位置が湾曲基点を結ぶ線側に寄せて設けた場合と比較して本体の厚みを薄く形成することが可能となり本体の薄形化を図ることができるという作用を有する。
【００２６】
また、請求項２に記載の発明は、排気用ファンの中心線を、本体の前面に形成された湾曲部における膨出量が最大の部位より一方側にずらし、他方側に室内側排気口を設けたものであり、本体の中心位置となる湾曲部の最大の部位より一方側にずらして排気用ファンの中心位置が設けられることにより、他方側に設けられる室内側排気口より排気用ファンの位置が遠ざかり室内側排気口近傍の排気流路を広く形成することができ、排気流がスムーズに流れ排気効率が高められることとなり、所定の排気効率を得ることができるとともに、排気流路を狭くして本体の薄形化を図ることができるという作用を有する。
【００２７】
また、請求項３に記載の発明は、室内側排気口を本体の下面に設けたものであり、図示していないが、給気用ファンを設けた給気用の換気手段が排気用ファンを設けた本体と並設され、上面または、前面側に室内側給気口が設けられる同時給排形の換気装置を構成した場合には、室内側排気口が本体の下面に設けられることにより、室内側給気口との位置関係からショートサーキットを防止できるという作用を有する。
【００２８】
また、請求項４に記載の発明は、排気用ファンの中心位置を、本体の前面に形成された湾曲部における膨出量が最大の部位より上方にずらしたものであり、排気用ファンの中心位置を本体の中心位置となる湾曲部の最大の部位より上方にずらしたことにより、下面に設けられた室内側排気口の本体の内面側近傍の排気流路を広くすることができ、室内側排気口より排気流路に吸い込まれる吸い込みスペースを大きくすることができるという作用を有する。
【００２９】
また、請求項５に記載の発明は、室内側排気口の内側に壁部側よりも排気ファンの吸込口側を前記本体の側面から遠ざけるように形成したガイド部を設けたものであり、室内側排気口より本体内の排気流路に吸い込まれる空気流が、ガイド部によって、排気用ファンの吸込口側にスムーズに流れ排気効率が高められるという作用を有する。
【００３０】
また、請求項６に記載の発明は、排気用ファンを有した排気用換気手段と、給気用ファンとを有した給気用換気手段を一体的に設け、前記給気用換気手段と連通して設けた室外側給気口を前記室外側排気口と並設して同時給排形としたものであり、排気用換気手段と給気用換気手段を一体的に設けることにより、一本の２層管ダクトで給気と排気を同時に行うことができるという作用を有する。
【００３１】
また、本体の前面に設けた湾曲部により、給気用換気手段を収納するための空間が大きくとることができるので、給気用ファンの吸込口側の空間を確保して、本体の薄形化とともに給気効率も向上するという作用を有する。
【００３２】
また、請求項７に記載の発明は、排気用ファンおよび給気用ファンの吸い込み中心の壁部に平行な方向の高さを壁部に設けられる２層管ダクトの排気路および給気路に連結する室外側排気口および室外側給気口の中心の高さと同一高さとしたものであり、排気用ファンから室外側排気口を経て２層管ダクトの排気路に流れる排気流は、スムーズに流れ、その結果排気用ファンによる吸気効率が高められるとともに、２層管ダクトの給気路より室外側給気口を経て給気用ファンに吸い込まれる給気流はスムーズに流れ給気用ファンの吸気効率が高められることとなる。
【００３３】
以下、本発明の実施の形態について図面を参照しながら説明する。
【００３４】
（実施の形態１）
図１に示すように、内部にモータ１により駆動される排気用ファン２を有した本体３の側面となる下面に室内側排気口４を設け、背面に室外側排気口５を設け、前面の略中央部を湾曲形状の基点となる湾曲基点６より膨出して湾曲部７を形成し、湾曲部７の内面側に室内側排気口４より排気用ファン２の吸込口２ａに至る排気流路８を形成し、本体３は壁部９に取り付けられる。室外側排気口５は壁部９を貫通するダクトに接続されて屋外に連通している。
【００３５】
また、室内側排気口４の中心位置（ａ）が湾曲基点６を結ぶ線１０より壁部９側に位置するように室内側排気口４を本体３の側面に設け、排気用ファン２の中心線（ｂ）を本体３の前面に形成された湾曲部７における膨張量が最大の部位１１を通る壁部９に対して垂直方向の線、すなわち、本体３の中心線（ｃ）より上方側となる一方側にずらし、他方側となる下面に室内側排気口４を設け構成する。
【００３６】
また、排気用ファン２の回転軸線である中心線（ｂ）は壁部９に対して垂直方向に設けられ、排気用ファンの吸込口２ａは本体３の前面裏側と向かい合っている。
【００３７】
上記構成において、モータ１により駆動された排気用ファン２により室内側排気口４より排気流を排気流路８内に吸気し、排気用ファン２を経て室外側排気口５より排気して換気を行うこととなる。
【００３８】
そして、本体３の前面を形成する湾曲部７の湾曲基点６を結ぶ線１０より壁部９側に位置する場所に中心位置が設けられる室内側排気口４を形成していることにより、室内側排気口４の中心位置（ａ）が湾曲基点６を結ぶ線１０側に寄せて設けた場合と比較して本体３の厚みを薄く形成することが可能となり、本体３の薄形化を図ることができることとなる。
【００３９】
また、本体３の中心位置となる湾曲部７の膨出量が最大の部位１１より一方側にずらして排気用ファン２の中心線（ｂ）が設けられることにより、他方側に設けられる室内側排気口４より排気用ファン２の位置が遠ざかり室内側排気口４近傍の排気流路８を広く形成することができ、また、排気流がスムーズに流れ、排気効率が高められることとなり、所定の排気効率を得るために排気流路８を狭くして本体３の薄形化を図ることができることとなる。
【００４０】
また、図示してないが、給気用ファンを設けた給気用換気手段が排気用ファン２を設けた本体３の側方に設けられ、上面および前面側に室内側給気口を設けて同時給排形換気装置とした場合には、室内側排気口４が本体３の下面に設けられると、室内側給気口との位置関係からショートサーキットを防止することができることとなる。
【００４１】
また、排気用ファンの中心線（ｂ）を本体３の中心線となる湾曲部７の最大の部位１１を通る線より上方にずらしたことにより、下面に設けられた室内側排気口４の内部側の排気流路８を広くすることができ、室内側排気口４より排気流路８に吸い込まれる気流の吸い込みスペースを大きくすることができることとなる。
【００４２】
本実施の形態においては、湾曲部７は壁部９に取り付けた本体３に対して、縦方向に湾曲した形状で、本体３の上面付近と下面付近にその湾曲形状の基点となる湾曲基点６を形成したものであるが、この湾曲部を本体に対して横方向に湾曲するよう形成した場合には、排気流路が確保できることに変わりはなく、本体の薄形化が図れるという同様の作用効果を有することになり、このような構成も本特許発明の技術的範囲に含むものとする。
【００４３】
後述する実施の形態３に記載しているように、排気用換気手段と給気用換気手段を一体的に設けて同時給排形換気扇とした場合においても、両者の換気手段を収納した本体に横方向に湾曲する湾曲部を形成しても、同様に本体の薄形化と排気流路の確保を実現できる換気装置が得られることになる。
【００４４】
（実施の形態２）
図２に示すように、壁部９側よりも排気用ファンの吸込口２ａ側を本体３の側面から遠ざけるよう形成して、室内側排気口４Ａの内側に排気流路８Ａに向かって傾斜するガイド部１２を設けた構成とする。
【００４５】
上記構成において、モータ１により排気用ファン２が駆動すると、室内側排気口４Ａから空気が吸気され、傾斜したガイド部１２により排気流路８Ａ内の斜め上方へ排気流がスムーズに案内され、排気用ファン２を経て室外側排気口５より排気されることとなり、排気効率が高められることとなって本体３の薄形化にも寄与することができることとなる。
【００４６】
（実施の形態３）
図３〜図５に示すように、室外側排気口５Ａに室外側給気口１３が並設されるように、排気用ファン２Ａを有した排気用換気手段１４と、給気用ファン１５を有した給気用換気手段１６を一体的に設け、同時給排形とし、排気用ファン２Ａおよび給気用ファン１５の吸い込み中心高さ（Ｈ）を壁部９Ａに設けられる２層管ダクト１７の排気路１８および給気路１９に連通し、室外側排気口５Ａおよび室外側給気口１３の中心の高さと同一の高さに形成し、２層管ダクト１７の屋外側には屋外フード２０を設け構成する。
【００４７】
上記構成において、排気用換気手段１４と給気用換気手段１６が同時に運転されると、排気用ファン２Ａが駆動し、本体３Ａの下面に設けた室内側排気口４より排気用ファン２Ａに吸い込まれた排気流は、室外側排気口５Ａより２層管ダクト１７の排気路１８を通り室外に排気され、給気用ファン１５が駆動し２層管ダクト１７の給気路１９より、室外の空気を吸気し、室外側給気口１３より給気用ファン１５を経て本体３の上面および前面に設けた室内側給気口２１より室内に給気されることとなる。
【００４８】
そして、排気用換気手段１４と給気用換気手段１６を一体的に設けたことにより、一本の２層管ダクト１７で給気と排気を同時に行うことができる。
【００４９】
また、排気用ファン２Ａおよび給気用ファン１５の吸い込み中心高さ（Ｈ）を室外側排気口５Ａと室外側給気口１３および２層管ダクト１７の高さと合致するように同一高さに形成していることにより、排気用ファン２Ａから室外側排気口５Ａを経て、２層管ダクト１７の排気路１８に流れる排気流はスムーズに流れ、その結果排気用ファン２Ａの吸気効率が高められるとともに、２層管ダクト１７の給気路１９より室外側給気口１３を経て給気用ファン１５に吸い込まれる給気流は、スムーズに流れ給気用ファン１５の吸気効率が高められることとなる。
【産業上の利用可能性】
【００５０】
本発明の換気装置は、同時に給気と排気を２層管ダクトを介して行う熱交換形換気装置などにも適用できる。
【図面の簡単な説明】
【００５１】
【図１】本発明の実施の形態１の換気装置の設置状態を示す断面図
【図２】本発明の実施の形態２の換気装置の設置状態を示す断面図
【図３】本発明の実施の形態３の換気装置の設置状態を示す断面図
【図４】同換気装置の室内側排気口と室内側給気口を示す本体の斜視図
【図５】同換気装置のファン吸い込み中心と２層管ダクトの関係を示す概略図
【図６】従来の壁取付用換気扇の設置状態を示す断面図
【符号の説明】
【００５２】
１    モータ
２    排気用ファン
２ａ  排気用ファンの吸込口
２Ａ  排気用ファン
３    本体
４    室内側排気口
４Ａ  室内側排気口
５    室外側排気口
５Ａ  室外側排気口
６    湾曲基点
７    湾曲部
８    排気流路
８Ａ  排気流路
９    壁部
９Ａ  壁部
１０  線
１１  最大の部位
１２  ガイド部
１３  室外側給気口
１４  排気用換気手段
１５  給気用ファン
１６  給気用換気手段
１７  ２層管ダクト
１８  排気路
１９  給気路
【図１】
2006038421.tif 000003
【図２】
2006038421.tif 000004
【図３】
2006038421.tif 000005
【図４】
2006038421.tif 000006
【図５】
2006038421.tif 000007
【図６】
2006038421.tif 000008